(57)【要約】【課題】  蓋体の内外を貫通する貫通口を有する弁部材に対し、内部への排水の流入防止を目的とする。【解決手段】    槽体に形成された排水口１の開閉を行う弁部材４であって、槽体表面に露出する弁体上部５１と、当該弁体上部５１と連結される弁体下部６によって排水口１を覆う蓋体５が形成されている。又、弁体下部６には蓋体５の内外を貫通する貫通口７が開口されており、貫通口７の上端には止水部材９が配置されている。止水部材９は弁体上部５１と弁体下部６によって挟圧されることにより、貫通口７を水密に閉塞している。【選択図】図２
2018119374.tif 000002
【特許請求の範囲】
【請求項１】
槽体に形成された排水口の開閉を行う弁部材であって、
２つ以上の部材が連結されることによって排水口を覆う蓋体が形成されるとともに、
蓋体の内外を貫通する貫通口と、
貫通口の一端を閉塞する止水部材を備えることを特徴とする弁部材。
【請求項２】
上記蓋体は、
槽体表面に露出する弁体上部と、
弁体上部と連結される弁体下部から成り、
弁体下部は上下方向に開口し、弁部材を押し上げる弁軸が挿通される貫通口を有し、
貫通口は上端側が止水部材によって閉塞されていることを特徴とする請求項１に記載の弁部材。
【請求項３】
止水部材は他の部材同士の連結時において、
当該他の部材によって挟圧されることを特徴とする請求項１又は請求項２に記載の弁部材。
【請求項４】
止水部材は他の部材との当接面において、
挟圧時に他の部材と圧着する凸部を有することを特徴とする請求項３に記載の弁部材。
【発明の詳細な説明】
【技術分野】
【０００１】
本発明は、槽体に形成された排水口の開閉を行う弁部材に関するものである。
【背景技術】
【０００２】
従来から、槽体に形成された排水口の開閉を行うための弁部材として、図１０のような構成が知られている。
【０００３】
図１０に示す従来の弁部材４００は槽体の排水口の開閉を行うものであり、当該弁部材４００が排水口を閉塞することによって、槽体内部に湯水が貯留可能となっている。尚、弁部材４００は筒状の弁軸２１０と嵌合しており、図示しない操作部に加えられた操作に基づいて弁軸２１０が弁部材４００を押し上げる構造となっている。
【０００４】
上記弁部材４００は、排水口を覆う蓋体５００を有しており、当該蓋体５００は下面中央より上方に向けて凹状の嵌合部８００が形成され、嵌合部８００には上記弁軸２１０に形成された溝部と嵌合するための爪部８１０が突設されている。
ここで、上記従来例における弁部材４００の嵌合部８００は爪部８１０よりも上方がアンダーカット形状（金型が抜けない形状）となっている。従って、当該嵌合部８００の成形を行うためには、爪部８１０の内側への突出量を抑えることによって無理矢理金型を抜く、又は金型を回転させて抜く等の方法が考えられるが、当該方法においては嵌合部８００の形状が制限される、又は金型の形状が複雑になってしまうといった問題があった。
【０００５】
上記従来の弁部材４００の課題を解決するため、図１１に示す弁部材４００においては、嵌合部８００の形状を自由に設計可能となる様、弁体上部５１０と弁体下部６００によって蓋体５００を構成している。即ち、上下２枚の金型を用いることで弁体下部６００に貫通口７００を開口し、当該貫通口７００によって嵌合部８００を形成することで、上記アンダーカットの問題が解消され、爪部８１０の上方に向けて金型を引き抜くことが可能となり、嵌合部８００の形状を自由に設計できる。尚、図１１に係る従来例において弁体上部５１０は樹脂材によって成形されており、弁体下部６００と係合する構造であるが、当該構造の他、弁体上部５１０を金属製の薄板として、弁体下部６００にカシメ固定することで貫通口７００の上方を覆う構造が知られている。
【先行技術文献】
【特許文献】
【０００６】
【特許文献１】特開２０１５−１３７５１２号公報
【発明の概要】
【発明が解決しようとする課題】
【０００７】
しかし、上記従来の弁部材４００は弁体上部５１０と弁体下部６００によって構成されることから、当該弁体上部５１０と弁体下部６００との間に排水が流入可能な空間が形成されてしまう。そして、貫通口７００は蓋体５００の内外を貫通することから、蓋体５００内部に排水が流入し易く、不衛生であるという問題を有していた。
尚、上記問題の解決のため、内部に流入した排水を排出する水抜き穴を弁体下部６００に開口しようとした場合、弁体下部６００の形状が限定されてしまうことから、当該水抜き穴を形成することは困難であった。又、水抜き穴を形成しても、内部に流入した排水を全て排出することは困難であり、蓋体５００内に残留した排水にカビ等が生じる恐れがある。
【０００８】
本発明は上記問題に鑑み発明されたものであって、蓋体の内外を貫通する貫通口を有する弁部材に対し、内部への排水の流入防止を目的とする。
【課題を解決するための手段】
【０００９】
請求項１に記載の本発明は、槽体に形成された排水口の開閉を行う弁部材であって、
２つ以上の部材が連結されることによって排水口を覆う蓋体が形成されるとともに、
蓋体の内外を貫通する貫通口と、
貫通口の一端を閉塞する止水部材を備えることを特徴とする弁部材である。
【００１０】
請求項２に記載の本発明は、上記蓋体は、
槽体表面に露出する弁体上部と、
弁体上部と連結される弁体下部から成り、
弁体下部は上下方向に開口し、弁部材を押し上げる弁軸が挿通される貫通口を有し、
貫通口は上端側が止水部材によって閉塞されていることを特徴とする請求項１に記載の弁部材である。
【００１１】
請求項３に記載の本発明は、止水部材は他の部材同士の連結時において、
当該他の部材によって挟圧されることを特徴とする請求項１又は請求項２に記載の弁部材である。
【００１２】
請求項４に記載の本発明は、止水部材は他の部材との当接面において、
挟圧時に他の部材と圧着する凸部を有することを特徴とする請求項３のいずれに記載の弁部材である。
【発明の効果】
【００１３】
請求項１及び請求項２に記載の本発明によれば、嵌合部に上下２枚の金型を用いることで、嵌合部のアンダーカットの問題を解消した場合に生じる、弁部材の内外を貫通する貫通孔を、止水部材によって閉塞し、弁部材内部に排水が流入することを防ぎ、衛生的な弁部材を提供することが可能となる。特に、蓋体に水抜き用の穴を形成することが困難な場合において有用である。
請求項３に記載の本発明によれば、止水部材が他の部材によって挟圧されることにより、より確実に止水を行うことが可能となる。又、請求項４に記載の本発明のように、挟圧時に他の部材と圧着する凸部を有することにより、より止水性能を高めることが可能となる。
【図面の簡単な説明】
【００１４】
【図１】本発明の施工状態を示す断面図である。
【図２】弁部材周辺を示す（ａ）断面図（ｂ）図２（ａ）の要部拡大断面図である。
【図３】弁部材を示す分解断面図である。
【図４】弁部材を示す分解斜視図である。
【図５】図４とは異なる角度から見た弁部材を示す分解断面図である。
【図６】弁体上部を示す底面図である。
【図７】止水部材を示す（ａ）平面図（ｂ）図７（ａ）のＡ−Ａ’断面図である。
【図８】本発明の第二実施形態を示す（ａ）断面図（ｂ）図８（ａ）の要部拡大断面図である。
【図９】本発明の第三実施形態を示す（ａ）断面図（ｂ）図９（ａ）の要部拡大断面図である。
【図１０】従来例を示す（ａ）断面図（ｂ）図１０（ａ）の要部拡大断面図である。
【図１１】従来例を示す（ａ）断面図（ｂ）図１１（ａ）の要部拡大断面図である。
【発明を実施するための形態】
【００１５】
以下に、本発明の弁部材を、図面を参照しつつ説明する。尚、以下に記載する説明は実施形態の理解を容易にするものであって、これによって本発明が制限して理解されるものではない。又、以下の実施形態においては、特に断りの無い限り図１に示す施工状態を基準として上下左右を説明する。
【００１６】
本実施形態は図１乃至図７に示すように、槽体Ｂの底部に形成された排水口１の開閉を、槽体Ｂの縁部に配置された操作部３によって遠隔的に操作する排水栓装置に使用される弁部材である。尚、排水栓装置は大きく分けて、槽体Ｂ、排水栓１１、レリースワイヤ２、操作部３、弁部材４より構成されている。
【００１７】
槽体Ｂは上方が開放された箱状の浴槽であり、底部には円形の孔部が開口され、当該底部の孔部には円筒状の排水栓１１が取り付けられている。又、槽体Ｂの縁部には弁部材を遠隔的に操作するための操作部３が取り付けられている。
【００１８】
排水栓１１は上端に外向きのフランジ部を備える略円筒状であり、内部に排水流路が形成され、その上端が排水口１を形成するとともに、内部にワイヤ受け１２が取り付けられている。
ワイヤ受け１２は排水栓１１に固定される円環状の外縁部と、中央に形成された中空の筒状の軸受部１３を備えており、当該軸受部１３にレリースワイヤ２の端部に形成された弁軸２１が固定されている。
【００１９】
レリースワイヤ２は中空の樹脂製チューブであるアウターチューブと、当該アウターチューブ内を摺動可能に配置された金属の撚り線から成るインナーワイヤから成り、排水口１側端部において弁軸２１を備えるとともに、操作部３側端部にはロック機構２３を備えている。
弁軸２１は外筒及び内筒から成る筒状部材であり、ワイヤ受け１２によって排水栓１１の中央に固定されている。外筒はアウターチューブが連結された中空の筒状体であって、内側に内筒が摺動可能に摺動されているとともに、外側が軸受部１３によって係止されている。内筒はインナーワイヤが連結された筒状体であって、内部にショックアブソーバスプリングが配置されている。又、内筒はその上端外周において、全周に亘って凹溝２２が形成されており、当該凹溝２２に爪部８１が嵌合されている。
ロック機構２３はスラストロック機構と呼ばれる公知の保持機構であり、上端から突出しているロック軸に押動操作が加えられると、ケーシング内部に配置されたギアが噛合し、弁部材４の上昇状態を保持する構造となっている。
【００２０】
操作部３は槽体Ｂ縁部に配置されており、使用者によって直接押動操作が加えられるボタン部を有し、内部に上記ロック機構２３が収納されている。尚、ボタン部は裏側においてロック機構２３と連結しており、ボタン部に操作が加えられると、ロック機構２３が作動する。
【００２１】
弁部材４は図３乃至図６に示すように、蓋体５、止水部材９、パッキンＰより構成されている。尚、蓋体５は弁体上部５１及び弁体下部６が連結されることによって形成されており、排水口１の上方を覆うよう構成されている。
【００２２】
弁体上部５１はポリアセタールやポリプロピレン等の硬質の樹脂材から成り、その上面が槽体Ｂ表面に露出し、蓋体５の意匠面を構成する。弁体上部５１はその下方に上部壁５２を備えている。
上部壁５２は弁体上部５１の下面から下方に向けて垂設された環状の壁部であり、弁体上部５１と弁体下部６との連結時において、下部壁６２の外側に配置されるとともに、その内周において、弁体下部６と係合する係合部５３が形成されている。又、上部壁５２は外周にゴム等の弾性材から成るパッキンＰが嵌着されている。係合部５３は図３、図５及び図６に示すように、略Ｌ字形状を成すガイド部５４と、ガイド部５４下方に形成された底面視略三角形状の抜け止め部５５から成る。尚、ガイド部５４は上部壁５２の内周において、約９０度毎に形成されており、抜け止め部５５ａは約１８０度毎に形成されている。従って、ガイド部５４は４箇所、抜け止め部５５は２箇所に形成されている。
【００２３】
弁体下部６はポリアセタールやポリプロピレン等の硬質の樹脂材から成り、弁体上部５１の下方に連結されているとともに、中央に形成された嵌合部８に弁軸２１が嵌合されている。弁体下部６は平面視略円形の板状部６１と、当該板状部６１上面より上方に向けて垂設された下部壁６２と、板状部６１中央より上下方向に延設された筒部６６と、筒部６６中央を上下に貫通するよう開口された貫通口７と、当該貫通口７によって形成された嵌合部８から成る。
板状部６１は平面視円形であって、外径は上記上部壁５２の外径よりも大径であり、弁体上部５１と弁体下部６が連結した際に、弁体上部５１の下面と上部壁５２の側面と板状部６１の上面によってパッキンＰが配置される凹部を形成する。
下部壁６２は板状部６１の上面から上方に向けて垂設された環状の璧部であり、その外径は上記上部壁５２の内径よりも小径であって、弁体上部５１と弁体下部６が連結した際、上部壁５２の内側に配置される。又、下部壁６２はその外周において、前記係合部５３と係合する被係合部６３が形成されている。被係合部６３は上記ガイド部５４と対応する被ガイド部６４と、抜け止め部５５と対応する底面視略三角形状の被抜け止め部６５より成る。被ガイド部６４は弁体上部５１との連結時において、上記ガイド部５４の上方に配置され、弁部材４に対して上下方向（蓋体５の中心軸方向）に応力が加わった際に、弁体上部５１と弁体下部６の連結が解除されることを防ぐ。又、被抜け止め部６５は抜け止め部５５と噛合することにより、弁体上部５１と弁体下部６との連結後において、回転方向に応力が加わった際に、弁体上部５１と弁体下部６の連結が解除されることを防いでいる。尚、被ガイド部６４は下部壁６２の外周において、約９０度毎に形成されており、被抜け止め部６５は上記約９０度毎に形成されている。従って、被ガイド部６４及び被抜け止め部６５は４箇所に形成されている。
筒部６６は板状部６１の中央より上下方向に延設された円筒状であり、その上端は弁体上部５１との連結時において、弁体上部５１の裏面と略同一高さとなっている。又、筒部６６はその中央において、上下方向に貫通口７が開口されている。貫通口７は弁体上部５１と弁体下部６を連結させた状態において、蓋体５の内外を貫通している。筒部６６の上端は内側に向けて鍔部６７が形成されており、上端は貫通口７の径が小径となっている。尚、図３に示すように、上記鍔部６７は筒部６６の上端よりやや下方において形成されており、鍔部６７の上方には止水部材９が配置される円筒状の窪み６８が形成されている。
嵌合部８は上記貫通口７によって形成された筒部６６の内周面と、筒部６６の上端より形成された爪部８１より成る。爪部８１は鍔部６７内周より下方に向けて垂設されているとともに、その下端より内側に向けて略三角形状の爪が突設されており、弁軸２１の凹溝２２と嵌合している。
【００２４】
止水部材９はポリアセタールやポリプロピレン等の硬質の樹脂材であって、図２（ｂ）に示すように、筒部６６の上端に配置される円盤状の部材であり、その上面及び下面において、環状の凸部９１が突設されている。又、図７に示すように、止水部材９は外周より外側に向けて突起９２が４箇所形成されており、筒部６６上端に配置された際、筒部６６の内側と嵌合するよう構成されている。ここで、上記凸部９１は鍔部６７の内径よりも大径であり、筒部６６上端に止水部材９が配置された際、凸部９１は鍔部６７と当接する。又、凸部９１を含めた止水部材９の高さは、筒部６６上端に形成された窪み６８の高さ幅よりも大きい。  
【００２５】
ここで、上記弁部材４の組み立てについて詳述する。
まず、弁体下部６の筒部６６上端に形成された窪み６８内部に止水部材９を配置する。この時、止水部材９の周囲に形成された突起９２が窪み６８内部が嵌合することで、止水部材９が窪み６８の中心に位置決め固定される。又、止水部材９が配置された状態において、止水部材９の下面側に形成された凸部９１は鍔部６７上面と当接するとともに、止水部材９上面側に形成された凸部９１は筒部６６の上端よりも上方に突出する。
次に、弁体上部５１と弁体下部６を連結する。
まず、上部壁５２の内側に下部壁６２が配置されるように弁体上部５１と弁体下部６を合わせる。この時、止水部材９の上面側に形成された凸部９１は弁体上部５１の下面と当接する。上記状態より、弁体上部５１と弁体下部６を回転させる。この時、ガイド部５４の上方に被ガイド部６４が配置されるとともに、抜け止め部５５ａが被抜け止め部６５を乗り越えて噛合し、弁体上部５１と弁体下部６が分離不可能に連結される。又、この時、止水部材９の上面及び下面に形成された凸部９１はそれぞれ、弁体上部５１と弁体下部６、即ち弁体上部５１の下面と鍔部６７の上面によって挟圧され、凸部９１が上下方向に押し潰されることによって止水部材９が弁体上部５１と弁体下部６に圧着され、水密状態となる。
最後に、弁軸２１の凹溝２２を嵌合部８の爪部８１と嵌合させることで、本発明の施工が完了する。
【００２６】
上記弁部材４は、操作部３への操作に伴いレリースワイヤ２を介して当該操作が伝達され、昇降動作を行う構造となっている。具体的には、弁部材４が下降状態にある時に使用者によってボタン部が押動されると、レリースワイヤ２内のインナーワイヤがアウターチューブ内を排水口１側へと摺動し、内筒を上方へと突出させる。そして、内筒が弁部材４を押し上げ、槽体Ｂ内の湯水が排水可能となる。又、操作部３への操作に伴いロック機構２３が作動し、ギアの噛合によって弁部材４の上昇状態が保持される。尚、再度ボタン部に押動操作を加えると、上記ギアの噛合が解除され弁部材４が下降して排水口１が閉塞される。
【００２７】
上記本発明において、蓋体５は弁体上部５１と弁体下部６を組み合わせることにより構成されていることから、内部に排水が流入しうる空間を有するものである。又、弁体下部６はその中央を上下に貫通する貫通口７を有していることから、当該貫通口７は蓋体５の内外を貫通しているが、本発明の弁部材４においては、当該貫通口７はその上端が止水部材９によって閉塞されているため、蓋体５内部に排水が流入することはない。
【００２８】
第一実施形態に係る本発明の弁部材は以上であるが、本発明の弁部材は上記第一実施形態の形状に限られるものではなく、発明の要旨を逸脱しない範囲において種々の変更が加えられていても良い。尚、以下に記載する実施形態において、上記第一実施形態と同様の部材については同一の番号を付して、その説明を省略する。
【００２９】
上記第一実施形態において、止水部材９は弁体上部５１と弁体下部６よって挟圧されることによって取り付けられていたが、本発明の弁部材は当該構成に限られるものではない。図８に示す第二実施形態に係る弁部材４において、止水部材９は下方が開放されたキャップ状であって、弁体下部６の貫通口７上端を覆う様に配置され、筒部６６上端外周と係合するよう構成されている。当該第二実施形態によれば、弁体上部５１と弁体下部６によって止水部材９を挟圧する必要がないことから、蓋体５の組み立て前に弁体下部６に対して止水部材９を配置固定させることが可能となる。従って、弁体上部５１と弁体下部６の組み立て時に止水部材９が滑落してしまうことを防ぐことが可能である。
【００３０】
又、上記各実施形態において、弁部材４は硬質の樹脂から成る弁体上部５１と弁体下部６を有していたが、図９に示す第三実施形態のように、弁体上部５１を金属製の薄板として、弁体下部６にカシメ固定することで貫通口７の上方を覆う構造であっても良い。尚、当該第三実施形態においては、カシメ時に止水部材９が弁体上部５１と弁体下部６に挟圧され、圧着される。
【００３１】
又、上記各実施形態に記載の形状の他、止水部材９をゴムやシリコン等の軟質材に変更する等、材質変更を行っても良い。又、本発明の弁部材は浴槽、洗面ボウル、流し台等、種々の槽体に取り付けられても良い。
【符号の説明】
【００３２】
１                排水口
１１              排水栓
１２              ワイヤ受け
１３              軸受部
２                レリースワイヤ
２１０、２１      弁軸
２２              凹溝
２３              ロック機構
３                操作部
４００、４        弁部材
５００、５        蓋体
５１０、５１      弁体上部
５２              上部壁５２
５３              被係合部６３
５４              ガイド部５４
５５              抜け止め部５５
６００、６        弁体下部
６１              板状部
６２              下部壁
６３              被係合部
６４              被ガイド部
６５              抜け止め部
６６              筒部
６７              鍔部
６８              窪み
７００、７        貫通口
８００、８        嵌合部
８１０、８１      爪部
９                止水部材
９１              凸部
９２              突起
Ｂ                槽体
Ｐ                パッキン
【図１】
2018119374.tif 000003
【図２】
2018119374.tif 000004
【図３】
2018119374.tif 000005
【図４】
2018119374.tif 000006
【図５】
2018119374.tif 000007
【図６】
2018119374.tif 000008
【図７】
2018119374.tif 000009
【図８】
2018119374.tif 000010
【図９】
2018119374.tif 000011
【図１０】
2018119374.tif 000012
【図１１】
2018119374.tif 000013